(57)【要約】      （修正有）【課題】プライマリ局から、セカンダリ局に対して、より良好なハンドオーバーの選択を行う方法を提供する。【解決手段】複数のセル（セルＡ、セルＢ）を提供する無線通信システムにおいて、セルは、性能に関する表示をブロードキャストする。セルの少なくとも一つ（セルＡ）は、セカンダリ局１０に対するサービングセルであり、少なくとも一つの他のセル（セルＢ）は、サービングセルではない。セカンダリ局１０は、検出されたセルに対する性能計量を計算する。性能計量の値に基づいて、セカンダリ局１０は、セカンダリ局１０に対するサービングセルを提供するプライマリ局２０へ、一つ以上のセルに対する測定／計量を報告する。このようにして、プライマリ局２０は、ハンドオーバーに適切な各セルにおける利用可能なリソースの量を知ることが可能であり、セカンダリ局１０に対して、より良好なハンドオーバーの選択を行うことが可能である。【選択図】図４
2017038358.tif 000002
【特許請求の範囲】
【請求項１】
少なくとも一つのプライマリ局により制御される複数のセルと、前記複数のセルのサブセットでの無線通信のために配置されるセカンダリ局とを有し、前記サブセットは、前記セカンダリ局に対するサービングセルである第１セルと、少なくとも一つが前記セカンダリ局に対する非サービングセルである一つ以上の第２セルとを含む無線通信システムであって、
前記第１および第２セルの少なくとも一つは、性能に関する少なくとも一つの表示をブロードキャストするよう配置され、
前記セカンダリ局は、前記第１および第２セルの前記少なくとも一つからの前記少なくとも一つのブロードキャストされた表示に応答して、前記第１および第２セルの少なくとも二つのそれぞれに対して、少なくとも一つの性能計量の値を計算し、前記性能計量の前記計算された値に基づいて、前記プライマリ局に報告を送り、
前記性能計量は、前記少なくとも一つのブロードキャストされた表示に加えて、
前記セカンダリ局の能力、および
セルと関連付けられ、前記セカンダリ局により推定または測定される利用可能な通信リソース
の何れか、または両者を考慮するシステム。
【請求項２】
セルの性能に関する前記少なくとも一つのブロードキャストされた表示は、
通信に利用可能な帯域、
通信に利用可能なキャリアの数、
通信に利用可能なタイムスロット、
利用可能なデータレート、
利用可能な待ち時間、
送信電力、および
アンテナの数
の少なくとも一つを含む請求項１に記載のシステム。
【請求項３】
前記少なくとも一つのブロードキャストされた表示は、システム情報ブロックまたはビーコンフレームに含まれる請求項１または２に記載のシステム。
【請求項４】
セルに対する前記少なくとも一つの性能計量は、前記セカンダリ局と前記セルとの間の通信に対して、前記セカンダリ局により達成可能な予期されるデータレートを含む請求項１〜３の何れか一項に記載のシステム。
【請求項５】
セルに対する前記少なくとも一つの性能計量は、前記セカンダリ局と前記セルとの間のデータ送信の予期される待ち時間を含む請求項１〜４の何れか一項に記載のシステム。
【請求項６】
セルに対する前記少なくとも一つの性能計量は、所与のデータレートにおいて、前記セルと無線通信を行うために前記セカンダリ局により必要とされるエネルギ消費を含む請求項１〜５の何れか一項に記載のシステム。
【請求項７】
セルに対する前記少なくとも一つの性能計量は、前記セカンダリ局と無線通信を行うように前記セルを制御する前記プライマリ局により必要とされるエネルギ消費を含む請求項１〜６の何れか一項に記載のシステム。
【請求項８】
前記報告は、
少なくとも一つの前記第２セルに対する性能計量、
前記第１セルに対する性能計量、
前記複数のセルのうちの二つのセル間の性能計量の値の差、および
前記第１セルおよび／または前記第２セルの一つに対して行われる測定
の少なくとも一つを含む請求項１〜７の何れか一項に記載のシステム。
【請求項９】
前記報告は前記アップリンクのみに関する情報を含む請求項１〜８の何れか一項に記載のシステム。
【請求項１０】
前記第１および第２セルのそれぞれは、
ダウンリンクセル、
アップリンクセル、および
ダウンリンクとアップリンクセル
の何れかである請求項１〜９の何れか一項に記載のシステム。
【請求項１１】
前記プライマリ局は前記報告に応答して、前記セカンダリ局に対するサービングセルのダウンリンクとアップリンクの少なくとも一つを、前記セカンダリ局に対する非サービングセルにハンドオーバーして前記非サービングセルはサービングセルになる請求項１〜１０の何れか一項に記載のシステム。
【請求項１２】
少なくとも一つのプライマリ局により制御される複数のセルを提供する無線通信システムにおける使用のためのセカンダリ局であって、前記複数のセルのサブセットでの無線通信のために配置され、前記サブセットは前記セカンダリ局に対するサービングセルである第１セルと、少なくとも一つが前記セカンダリ局に対する非サービングセルである一つ以上の第２セルを含み、
前記第１および第２セルの少なくとも一つは、性能に関する少なくとも一つの表示をブロードキャストするよう配置され、
前記セカンダリ局は、前記セルの少なくとも一つから受信され、性能に関する少なくとも一つのブロードキャストされた表示に応答して、前記第１および第２セルの少なくとも二つに対する少なくとも一つの性能計量を計算し、前記性能計量の前記計算された値に基づいて、前記プライマリ局に報告を送り、
前記性能計量は、前記少なくとも一つのブロードキャストされた表示に加えて、
前記セカンダリ局の能力、および
セルと関連付けられ、前記セカンダリ局により推定または測定される利用可能な通信リソース
の何れか、または両者を考慮するセカンダリ局。
【請求項１３】
無線通信システムにおける使用のためのプライマリ局であって、前記システムにおける複数のセルの一つ以上を制御し、前記複数のセルのサブセットでの無線通信のために前記システムにおけるセカンダリ局が配置され、前記サブセットは、前記セカンダリ局に対するサービングセルである第１セルと、少なくとも一つが前記セカンダリ局に対する非サービングセルである一つ以上の第２セルを含み、
前記プライマリ局は、
前記第１および第２セルの少なくとも一つを介して、性能に関する少なくとも一つの表示をブロードキャストするよう配置されるプライマリ局。
【請求項１４】
無線通信システムにおける使用のためのプライマリ局であって、前記システムにおける複数のセルの一つ以上を制御し、前記複数のセルのサブセットでの無線通信のために前記システムにおけるセカンダリ局が配置され、前記サブセットは、前記セカンダリ局に対するサービングセルである第１セルと、少なくとも一つが前記セカンダリ局に対する非サービングセルである一つ以上の第２セルを含み、
前記プライマリ局は、
前記セカンダリ局から、性能に関する少なくとも一つのブロードキャストされた表示を受信することに応答して、および、前記セカンダリ局が前記第１および第２セルの少なくとも二つに対する少なくとも一つの性能計量を計算することに基づいて、前記セカンダリ局から送られる報告を受信するよう配置され、
前記性能計量は、前記少なくとも一つのブロードキャストされた表示に加えて、
前記セカンダリ局の能力、および
セルと関連付けられ、前記セカンダリ局により推定または測定される利用可能な通信リソース
の何れか、または両者を考慮するプライマリ局。
【請求項１５】
少なくとも一つのプライマリ局により制御される複数のセルと、前記複数のセルのサブセットでの無線通信を行うセカンダリ局とを採用し、前記サブセットは前記セカンダリ局に対するサービングセルである第１セルと、少なくとも一つが前記セカンダリ局に対する非サービングセルである一つ以上の第２セルを含む無線通信方法であって、
前記方法は、
前記第１および第２セルの少なくとも一つから、性能に関する少なくとも一つの表示をブロードキャストし、
前記セカンダリ局において、前記セルの前記少なくとも一つからの前記少なくとも一つのブロードキャストされた表示に応答して前記第１および第２セルの少なくとも二つに対する少なくとも一つの性能計量を計算し、前記性能計量の前記計算された値に基づいて、前記プライマリ局に報告を送ることを含み、
前記性能計量は、前記少なくとも一つのブロードキャストされた表示に加えて、
前記セカンダリ局の能力、および
セルと関連付けられ、前記セカンダリ局により推定または測定される利用可能な通信リソース
の何れか、または両者を考慮する方法。
【発明の詳細な説明】
【技術分野】
【０００１】
本発明は無線通信システムに関し、より特別には、そのようなシステムにおける、基地局またはアクセスポイントへの端末による報告に関する。
【０００２】
特に、しかし排他的にではなく、本発明は、UMTS（Universal Mobile Telecommunications Service（3GPPで規定している第３世代移動通信システム））またはLTE（Long Term Evolusion（ロングタームエボリューション））およびLTEアドバンスト（LTE-Advanced）無線技術標準に準拠でき、一般にWi-Fiと称されるIEEE802.11のような、他の無線アクセス技術が利用可能である可能性がある無線通信システムにおけるサービングセルの選択を支援するための技術に関する。
【背景技術】
【０００３】
無線通信システムは広く知られており、このシステムにおいては、端末（ユーザ機器UE、または局STAとも呼ばれる）は、端末の範囲内の基地局BSまたはアクセスポイントAPと通信する。以降、「基地局」という用語は、状況により特に要請されない限り、BSまたはAP（または、BS/APの組み合わせ）を示すものとする。
【０００４】
一つ以上の基地局によりサービスを提供される地理的エリアは、一般的にはセルと称され、典型的には多くのBSが適切な位置に設けられ、それにより、隣接および／またはオーバーラップしているセルとほぼシームレスに、広い地理的エリアをカバーするネットワークが形成される。（本明細書においては、「システム」という用語と、「ネットワーク」という用語は同義語として使用される）。各BSは一つ以上のセルをサポートでき、各セルにおいてBSは、その利用可能な帯域、つまり周波数および時間リソースを、BSがサービスを提供するユーザ機器のための個々のリソース割り当てに分割する。端末は一般的には移動可能であり、従ってセル間を移動でき、隣接するセルの基地局間での端末への通信リンクのハンドオーバーに対する必要性を誘発する。端末は、幾つかのセルの範囲に同時に存在することができる（つまり、幾つかのセルから同時に信号を検出可能および／または幾つかのセルと同時に通信可能）が、最も簡単なケースでは、端末は一つの「サービング」セルと通信する。
【０００５】
セルラー無線ネットワークの一つのタイプは、ロングタームエボリューション（Long-Term Evolution:LTE）と称される標準のセットに基づいている。標準の現在のバージョンであるRelease 11（Rel 11）はまた、LTE-A（LTE-Advanced）とも称され、Release 12に対する仕様は、現在仕上げ段階にある。LTEにおけるネットトポロジーが図１に例示されている。図１から分かるように、LTEにおいてUEと呼ばれる各端末１０は、エアインタフェース（図１においてUuと表記されている）上で、エンハンストノードＢまたはeNB２０、２１の形式の基地局に無線で接続する。eNBの種々のタイプが可能であるということは留意されるべきである。eNBは異なるキャリア周波数において、一つ以上のセルをサポートでき、各セルは異なる送信電力と、異なるアンテナ構成を有しているので、異なるサイズのカバレッジエリア（セル）を提供する。所与の地理的エリアにおいて配置された複数のeNBは、E-UTRAN（UMTSにおける高度化された無線アクセスネットワーク）（そして以降は、一般的に、単に「ネットワーク」と称する）と呼ばれる無線ネットワークを構成する。LTEネットワークは、時分割複信（Time Division Duplex:TDD）モードにおいて作動可能であり、このモードにおいては、アップリンクとダウンリンクは時間において分離されるが、同じキャリア周波数を使用し、または周波数分割複信（Frequency Division Duplex:FDD）において作動可能であり、FDDでは、アップリンクとダウンリンクは異なる周波数において同時に起こる。無線リソース制御（Radio Resource Control:RRC）は、UEとeNBにおけるプロトコル層であり、UEとeNBの間でのRRC接続の確立、維持、および開放を含む、エアインタフェースの種々の態様を制御する。このため、セルによりサービスを提供されるUEに対しては、そのセルを提供または制御するeNBとのRRC接続を意味する。
【０００６】
その結果、各eNB２０または２１は、（通常は）有線リンク（図１におけるＳ１）により、サービングゲートウェイ（Serving Gateway:S-GW）と、システムを管理し、制御信号通知をネットワークにおける他のノード、特にはeNBに送るための可動性管理エンティティ（MME）を含む、より高いレベル、または「コアネットワーク」エンティティ１０１に接続される。加えて、パケットデータネットワーク（PDN）ゲートウェイ（P-GW）（図示せず）が存在し、S-GWとは別個に、またはS-GWと組み合わされて、インターネットを含む任意のパケットデータネットワークとデータパケットを交換する。このため、LTEネットワークと他のネットワークとの間の通信が可能である。一方、eNBは図１に示されているように、有線または無線Ｘ２インタフェースを介して、それらの間で通信することが可能である。
【０００７】
図１は、「同種ネットワーク」と呼ばれることもあるネットワークを示している。つまり、計画されたレイアウトにおける基地局のネットワークであり、類似の送信電力レベル、アンテナパターン、受信器ノイズフロア、およびコアネットワークへの類似の中継回線接続性を有しているネットワークを示している。現在の無線セルラーネットワークは典型的には、マクロ中心計画プロセスを使用する同種ネットワークとして配置されている。基地局の位置は、ネットワーク計画により注意深く決定され、基地局の設定は、カバレッジを最大にして、基地局間の干渉を制御するために適切に構成される。しかし、将来のセルラー無線ネットワークは、二つ以上の異なる種類のセルから構成される「非同種ネットワーク」であって、スモールセルネットワーク（Small Cell Network:SCN）とも称されるネットワークを採用するであろう。
【０００８】
SCNに対する誘因は、ネットワークの高密度化の考えである。つまり、トラフィック能力を改良するためにネットワークノードの数を増大して、それによりネットワークノードを端末に物理的により近くになるようにして、無線通信システムの達成可能なユーザデータレートを拡大することである。SCNは、ネットワークの高密度化を、現在のマクロノード層のカバレッジのもとで、補完的低電力ノードの配置により達成する。そのような同種な配置においては、低電力ノードは局所的に、例えば、室内および室外のホットスポット位置において、非常に高いトラフィック機能と非常に高いユーザスループットを提供する。一方、マクロ層は、カバレッジエリア全体でのサービスの利用可能性とユーザ体感品質（Quality of Experience:QoE）を確実なものにする。言い換えれば、低電力ノードを含む層は、広エリアをカバーするマクロ層とは対照的に、局所エリアアクセスを提供していることに関係していることが可能である。
【０００９】
図２は、簡単なSCNを表している。大きな楕円は、基地局（Macro BS（マクロBS））２０により提供されるマクロ（Macro）セルのカバレッジエリア、または直接受信可能エリアを表現している。より小さな楕円は、マクロセルのカバレッジエリア内のスモールセル（ピコ（Pico）またはフェムト（Femto）セルのような）を表現しており、各スモールセルは、低電力基地局２１−２６（ピコ基地局（Pico BS）２１により例示）のそれぞれを有している。ここにおいて、マクロセルは、あるエリアのネットワークにおける基本的なカバレッジの「マクロ層」を提供するセルであり、スモールセルはマクロセル上に、同じまたは異なるキャリア周波数を使用して重畳され、特に、いわゆるホットスポットゾーン内における、能力増大の目的のための「低電力層」を提供する。UE１０は、図２において矢印により示されているように、マクロBS２０と、ピコBS２１の両者と通信可能である。
【００１０】
キャリアアグリゲーション（Carrier Aggregation:CA）は、SCNに適用可能な技術である。LTE-A（LTE-Advanced）キャリアアグリゲーションを使用して、UEは二つ以上のキャリア（周波数帯域）を同時に利用可能であり、このようにして全体の送信帯域幅を増大する。これらのチャネルまたはキャリアは、スペクトルの隣接する構成要素にあってよく、または異なる帯域にあってよい。このため、SCNにおけるUEは、第１キャリア周波数を有し、そのUEに対する「プライマリセル」（PCell）と称される一つのセル(必ずとは限らないが、マクロセルであることが多々ある）と、異なるキャリア周波数を使用し、異なる周波数帯域を使用する可能性があり、そのUEの「セカンダリセル」（SCell）と称される一つ以上の他のセル（必ずとは限らないが、通常はスモールセル）に同時に接続することができる。SCellは、PCellと同じ（または近くの）位置から提供される。PCellとSCellは典型的には、異なるキャリア周波数において作動し、異なる周波数帯域において作動する可能性がある。UEは、すべての帯域から同時に、およびUEの能力に制限される数のキャリアからデータを受信して復号化可能である。
【００１１】
ＳＣＮのシナリオにおいては、マクロBSは、UEに対する移動アンカーポイントであることが可能であり、スモールセル間のUEのハンドオーバーのために制御信号通知を提供する。ピコBS２１が例として示されているが、種々のタイプの局は、フェムトセルを提供するHome eNB（HeNB）、または、デバイスツーデバイス（D2D）モードで作動可能であれば他のUEさえも含むスモールセルを提供可能であるということは留意されるべきである。このため、図２に示されている他の基地局２２−２６は、他のピコセル、または代替的に、ピコ基地局２１の周りの、ピコセルよりも低い電力と、より小さな範囲を有するフェムトセルを形成することが可能である。何れのそのようなセルは、以降は単に「スモールセル」と称する。
【００１２】
マクロセルの存在は必要不可欠というわけではなく、SCNはスモールセルのみで構成できるということは留意されるべきである。しかし、何れの場合も、同じまたは近くの位置でのセル間の調整は必要であり、これは、マクロBSに直接接続されていないUEに対しても、マクロBS２０のようなプライマリeNBにより都合よく提供される。
【００１３】
記述される本発明の理解を支援するために、LTEネットワーク内で種々の抽象化レベルで定義される、データおよび信号通知のためのE-UTRAN層をここで説明する。
【００１４】
図３は、物理チャネルレベル（Layer 1（レイヤ１））と、トランスポートチャネルレベル、論理チャネルレベル、無線ベアラレベル、および制御トラフィックレベル（これらが一緒になって、Layer 2（レイヤ２）を形成する）と、無線リソース制御、制御プレーンに対する非アクセス層（Non-Access Stratum:NAS）、および、ユーザトラフィックのためのインターネットプロトコル（Internet Protocol:IP）のLayer 3（レイヤ３）レベルのそれぞれにおいて、LTEにおいて定義されているプロトコル層の幾つかを示している。
【００１５】
ダウンリンク上では物理層レベルにおいて、従来は各セルは、UEが現在そのセルからサービスの提供を受けていようがいまいが、多数のチャネルと信号を範囲内のすべてのUEにブロードキャストしていた。現在の目的に対して特に関心があるのは、これらが物理ブロードキャストチャネル（Phyical Broadcast Channel:PBCH）を含むということである。ＰＢＣＨは、いわゆるマスタ情報ブロック（Master Information Block:MIB）を搬送し、MIBは、下記に記述されるような基本情報を、信号の範囲内の何れのUEにも与える。プライマリおよびセカンダリ同期信号（Primary and Secodary Synchronization Signals:PSS/SSS）もまた、範囲内のすべての装置にブロードキャストされる。セルに対するタイミング基準を確立することに加えて、これらは、物理層セルアイデンティティと、セルを識別するための物理層セルアイデンティティグループを搬送する。これらの種類の情報は、下記では「同期情報」と称される。
【００１６】
LTE仕様においてUEは、セルに関して同期または非同期の何れかであると考えることが可能である。PSSとSSSの復号化に成功すると、ダウンリンクタイミングと、セルに対するセルIDを含む同期情報をUEが得ることが可能になる。言い換えると、UEはセルと「同期状態」となる。同期状態においてUEは、アップリンクにおいて（リソースがネットワークにより利用可能になっていると仮定する）、定義されたタイミング（アップリンクタイミングは、「タイミングアドバンス」TAをダウンリンクタイミングから引くことにより得られる）で信号を送信可能である。
【００１７】
UEがセルのPSSとSSSを復号化すると、UEはセルの存在に気づき、前述したPBCHにおけるMIBを復号化できる。PBCHはすべてのフレームで送信され、それにより、MIBを4フレーム上で搬送する。MIBは、UEがネットワークに接続するために必要な、システム帯域、送信アンテナポート数、およびシステムフレーム番号（SFN）を含む基本情報の幾つかを含んでいる。MIBを読むことにより、UEがシステム情報ブロック（System Information Block:SIB）を受信して復号化することが可能となる。第１システム情報ブロック（SIB1）は、UEがセルへのアクセスを可能とされているかどうかを評価するときに適している。UEツーセルの関連付けが形成されるとき、UEは、セル（またはサービングセル）からユーザデータ（パケット）を受信することを開始可能であり、および／またはユーザデータをセルに送信することを開始可能である。
【００１８】
UEは、UEがeNBに知られていないRRCアイドル（RRC Idle）状態（またはアイドルモード（Idle Mode））、またはUEが接続されているRRC接続状態（RRC Connected State）にいることが可能である。GSM(登録商標)、LTE、UMTS、およびCDMA2000のようなセルラーシステムにおいて、アイドルモードで作動しているUEに対しては、典型的には行わなければならないセル接続のための定義された手順がある。
【００１９】
セル選択手順の一部として、UEは、従来は下記のように、種々の種類のレイヤ１（物理層）の測定を行ってきた。
【００２０】
参照信号受信電力（Reference Signal Receive Power:RSRP）
RSRPは、物理層測定の最も基本的なものである。これは、全チャネル帯域にわたる、ワット単位のダウンリンク参照信号（Reference Signal）の線形平均である。RSRPは、信号品質の表示は与えない。
【００２１】
受信信号強度インディケータ（Received Signal Strength Indicator:RSSI）
RSSIは、すべての他の（不要な）同一チャネル電力（干渉）とノイズと共に、サービングセルからの必要電力を含む、全UE受信電力である。
【００２２】
参照信号受信品質（Reference Signal Receive Quality:RSRQ）
RSRPとRSSIが与えられれば、RSRQは、RSRPとRSSI間の比として定義される。RSRQは、RSSIが同一チャネル干渉も含むので、測定されたセルの品質を正確には測定しない。
【００２３】
上記の測定はLTEに関するものであるが、類似の測定が他のRATにおいて利用可能である。例えば、Wi-Fiにおいては、RSSI（Received Signal Strength Indication（受信信号強度表示））、信号強度に対する計量としての受信チャネル電力インディケータ（Received Channel Power Indicator:RCPI）、およびダウンリンクにおける信号品質に対する計量として定義される受信信号対ノイズインディケータ（Received Signal to Noise Indicator:RSNI）がある。
【００２４】
従来は、上記の測定の一つ以上を採用しているセル選択基準を採用して、UEとの何れかの通信リンクを、一つのセルから他のセルへハンドオーバーすべきかどうかを決定するために採用できた。基準は典型的には、特別なセルからの測定された信号が、所与の閾値を超えているかどうかに基づいている。
【００２５】
複数の無線ネットワーク間の連携は、トラフィック能力とカバレッジの改良、および無線通信システムの達成可能なユーザデータレートの拡張のためのキーである。関心のある無線ネットワークは異なるオペレータにより制御でき、LTE、UMTS、およびWi-Fiのような異なる無線アクセス技術（Radio Access technologies:RAT）を使用できる。
【００２６】
将来においては、そのようなネットワーク間のハンドオーバーおよび接続作業は、ルーチンベースでサポートされる可能性があり、典型的には、所与のUEが潜在的に利用可能な多数のセルがあるということになるであろう。
【００２７】
UEが、基地局（例えば、LTEにおけるeNB）により提供される所与のセルからサービスを受ける場合は、UEは候補セルについての測定を行い、その結果をeNBに報告し、そして、「より良好な」セルをUEが利用可能な場合は、eNBはハンドオーバーを開始できる。現在は、ハンドオーバーの決定は、UEにおいて測定され、eNBに報告される信号強度（つまり、RSRP）および信号品質（つまり、RSRQ）と、eNBに知らされている情報に基づくことになる。目標のセルが別のeNBにより制御されている場合は、この決定は、基地局の能力とハンドオーバーを進んで受け入れる意志を含むことが可能である。
【００２８】
LTE及びUMTSのようなシステムにおいては、UEは複数のセルに対して測定を行うことが可能であり、これらの測定は、定義されている誘発基準に従ってネットワークに報告される。そして、ハンドオーバーの決定がネットワークにより行われる。典型的なハンドオーバーのシナリオにおいては、UEは、より低いRSRPのセルの境界に到達し、より高いRSRPの別のセルを識別して、測定報告を誘発できる。そしてサービングeNBは、新しいセルへのハンドオーバーを開始することを決定できる（これは、別のeNBにより制御可能である）。しかし、別のeNBにより制御されるセルへの適切なハンドオーバーの試みを開始するためには、サービングeNBは、目標のeNBの現在の状態（利用可能な通信リソースのようなもの）についての情報から恩恵を受けることになり、この情報は、eNB間の信号通知で交換可能である。セルの密度が高い場合は、特にeNBが異なるオペレータに属しているときは、タイムリーなハンドオーバーの決定のために、ＮＢ間での十分な情報交換を提供することは実現可能ではないことがある。現在は、LTEのようなシステムにおいては、UEによるRRM測定の報告は、特定のセルにとって有利となるように（またはならないように）、UEをセル特有のオフセットで構成することによりある程度までは制御可能である。この機構は、現在の典型的なシナリオにおいては、同じオペレータのセル間でのハンドオーバーに対しては十分であり得るが、動的変化の追尾またはオペレータ間のハンドオーバーに対しては適切ではない（これは、５Ｇにおいてサポートされることが必要なる可能性がある）。加えて、現在の利用可能な測定誘発条件は、頻繁に行われる測定報告、その結果としての信号通知、および処理オーバーヘッドなしには、タイムリー且つ恩恵のあるハンドオーバーを信頼性を有して達成するためには適切でないことがあり得る。
【００２９】
一方、WiFiの場合は、端末自身が何れのAPに接続するかを決定する。端末は、利用可能な通信リソースのような、目標ＡＰの現在の状態についての情報から同様に恩恵を受けることになる。
【発明の概要】
【００３０】
本発明の第１態様によれば、無線通信システムであって、少なくとも一つのプライマリ局により制御される複数のセルと、複数のセルのサブセットでの無線通信のために配置されるセカンダリ局とを有し、サブセットは、セカンダリ局に対するサービングセルである第１セルと、少なくとも一つがセカンダリ局に対する非サービングセルである一つ以上の第２セルを含み、
第１および第２セルの少なくとも一つは、性能に関する少なくとも一つの表示をブロードキャストするよう配置され、
セカンダリ局は、第１および第２セルの少なくとも一つからの少なくとも一つのブロードキャストされた表示に応答して、第１および第２セルの少なくとも二つのそれぞれに対して、少なくとも一つの性能計量の値を計算し、性能計量の計算された値に基づいて、プライマリ局に報告を送り、
性能計量は、少なくとも一つのブロードキャストされた表示に加えて、
セカンダリ局の能力、および
セルと関連付けられ、セカンダリ局により推定または測定される利用可能な通信リソースの何れか、または両者を考慮する。
【００３１】
ここにおいて、「性能に関する表示」は、セカンダリ局に関連する一つ以上のパラメータと関係のあるセルの性能に関する。好ましくは、セルの性能に関する少なくとも一つのブロードキャストされた表示は、
通信に利用可能な帯域、
通信に利用可能なキャリアの数、
通信に利用可能なタイムスロット、
利用可能なデータレート
利用可能な待ち時間、
送信電力、および
アンテナの数
の少なくとも一つを含む。
【００３２】
好ましくは、少なくとも一つのブロードキャストされた表示は、システム情報ブロックまたはビーコンフレームに含まれる。
【００３３】
セカンダリ局は、セルに対して、性能計量の下記の、
セルとの通信において、セカンダリ局により達成可能な予期されるデータレート、
セカンダリ局とセルとの間のデータ送信の予期される待ち時間、
所与のデータレートにおいて、セルと無線通信を行うためにセカンダリ局により必要とされるエネルギ消費、および
セカンダリ局と無線通信を行うようにセルを制御するプライマリ局により必要とされるエネルギ消費
の種類の何れか一つ以上を計算できる。
【００３４】
好ましくは、セカンダリ局により送られる報告は、
少なくとも一つの第２セルに対する性能計量(上記に定義されたような何れか)、
第１セルに対する性能計量、
複数のセルの二つのセル間の性能計量の値の差、および
第１セルおよび／または第２セルの一つに対して行われる測定
の少なくとも一つを含む。
【００３５】
一実施の形態においては、報告はアップリンクのみに関する情報を含む。
【００３６】
上記に言及されたような何れのシステムにおいても、第１および第２セルのそれぞれは、
ダウンリンクセル、
アップリンクセル、および
ダウンリンクとアップリンク
の何れであってもよい。
【００３７】
上記に言及したような何れのシステムにおいても、プライマリ局は、報告に応答して、セカンダリ局に対するサービングセルのダウンリンクとアップリンクの少なくとも一つを、セカンダリ局に対する非サービングセルにハンドオーバーでき、それにより、非サービングセルはサービングセルになる。
【００３８】
上記で言及したような何れのシステムにおいても、第１セルと、少なくとも一つの第２セルは異なるオペレータにより提供できる。
【００３９】
上記に言及したような何れのシステムにおいても、第１セルと、少なくとも一つの第２セルは異なるキャリア周波数を有することができる。
【００４０】
本発明の第２態様によれば、少なくとも一つのプライマリ局により制御される複数のセルを提供する無線通信システムにおける使用のためのセカンダリ局（例えば、端末またはUE）であって、複数のセルのサブセットでの無線通信のために配置され、サブセットは、セカンダリ局に対するサービングセルである第１セルと、少なくとも一つがセカンダリ局に対する非サービングセルである一つ以上の第２セルを含むセカンダリ局が提供され、
第１および第２セルの少なくとも一つは、性能に関する少なくとも一つの表示をブロードキャストするよう配置され、
セカンダリ局は、セルの少なくとも一つから受信され、性能に関する少なくとも一つのブロードキャストされた表示に応答して、第１および第２セルの少なくとも二つに対する少なくとも一つの性能計量を計算し、性能計量の計算された値に基づいて、プライマリ局に報告を送り、
性能計量は、少なくとも一つのブロードキャストされた表示に加えて、
セカンダリ局の能力、および
セルと関連付けられ、セカンダリ局により推定または測定される利用可能な通信リソース
の何れか、またはその両者を考慮する。
【００４１】
本発明の第３態様によれば、無線通信システムにおける使用のためのプライマリ局（例えば、基地局および／またはアクセスポイント）であって、システムにおける複数のセルの一つ以上を制御するためのプライマリ局が提供され、複数のセルのサブセットでの無線通信のためにそのシステムにおけるセカンダリ局が配置され、サブセットは、セカンダリ局に対するサービングセルである第１セルと、少なくとも一つがセカンダリ局に対する非サービングセルである一つ以上の第２セルを含み、
プライマリ局は、
第１および第２セルの少なくとも一つを介して、性能に関する少なくとも一つの表示をブロードキャストするよう配置される。
【００４２】
本発明の第４態様によれば、無線通信システムにおける使用のためのプライマリ局であって、システムにおける複数のセルの一つ以上を制御するためのプライマリ局が提供され、複数のセルのサブセットでの無線通信のためにそのシステムにおけるセカンダリ局が配置され、サブセットは、セカンダリ局に対するサービングセルである第１セルと、少なくとも一つがセカンダリ局に対する非サービングセルである一つ以上の第２セルを含み、
プライマリ局は、
セカンダリ局から、性能に関する少なくとも一つのブロードキャストされた表示に応答して、および、セカンダリ局が第１および第２セルの少なくとも二つに対する少なくとも一つの性能計量を計算することに基づいて、セカンダリ局から送られる報告を受信するよう配置され、
性能計量は、少なくとも一つのブロードキャストされた表示に加えて、
セカンダリ局の能力、および
セルと関連付けられ、セカンダリ局により推定または測定される利用可能な通信リソース
の何れか、または両者を考慮する。
【００４３】
上記の第３および第４態様は組み合わせることができる。つまり、同じプライマリ局は、性能に関する少なくとも一つの表示をブロードキャストすることと、セカンダリ局による応答において送られる報告を受信することの両者を行うことができる。
【００４４】
本発明の第５態様によれば、少なくとも一つのプライマリ局により制御される複数のセルと、複数のセルのサブセットでの無線通信を行うセカンダリ局とを採用する無線通信方法が提供され、サブセットは、セカンダリ局に対するサービングセルである第１セルと、少なくとも一つがセカンダリ局に対する非サービングセルである一つ以上の第２セルを含み、
その方法は、
第１および第２セルの少なくとも一つから、性能に関する少なくとも一つの表示をブロードキャストし、
セカンダリ局において、セルの少なくとも一つからの少なくとも一つのブロードキャストされた表示に応答して、第１および第２セルの少なくとも二つに対する少なくとも一つの性能計量を計算し、性能計量の計算された値に基づいて、プライマリ局に報告を送ることを含み、
性能計量は、少なくとも一つのブロードキャストされた表示に加えて、
セカンダリ局の能力、および
セルと関連付けられ、セカンダリ局により推定または測定される利用可能な通信リソース
の何れか、または両者を考慮する。
【００４５】
このため、本発明の実施の形態は、セカンダリ局（例えば、UE）が、非サービングセルと関連付けられている利用可能な通信リソースに基づく測定を、信号強度および／または信号品質のような他の測定と一緒に報告することを可能にする新しい機構を提供できる。
【００４６】
UEにサービスを提供しているeNBが、すべての潜在的なサービングセルの状態または能力を完全には知ってはいないという将来の複雑な無線環境においては、eNBにそのような情報を提供することは利点がある。特に、eNBがハンドオーバーに適している各セルにおける利用可能なリソースの量を知ることが可能であれば、eNBは、より良好なハンドオーバーの選択が可能である。これは、ネットワーク動作の効率と、ユーザ体感品質を改良するであろう。
【００４７】
実施の形態における特徴は下記を含んでいる。
−  複数のセルを提供するシステム（複数のプライマリ局により提供される可能性がある）
−  複数のセルは、性能に関する表示をブロードキャストする
−  セルの少なくとも一つはセカンダリ局に対するサービングセルである（少なくとも一つのセルは、サービングセルではない）
−  セカンダリ局は、検出されたセルに対する性能計量を計算する
―  性能計量の値に基づいて、セカンダリ局は一つ以上のセルに対する測定値／計量を、セカンダリ局に対するサービングセルを提供するプライマリ局に報告する。
【００４８】
上記に使用されている「セル」という用語は広く解釈されるべきで、例えば、送信ポイントまたはWi-Fiアクセスポイントの通信範囲を含むことができる。前述したように、セルは、通常は基地局により提供される。基地局は、3GPP LTEおよび3GPP LTE-A標準グループにおける実現形態に対して提案されている形式を取ることが考えられ、従って、異なる状況においては適切なようにeNB（eNodeB）と記述することができる（この用語はまた、Home  eNBまたはHeNBも含んでいる）。しかし、本発明の機能的な必要条件により、幾つかのまたはすべての基地局は、信号を送信および他の局から受信するために適切な任意の他の形式を取ることができる。
【００４９】
上記で言及した「端末」は、ユーザ機器（UE）、加入者局（SS）、移動局（MS）、Wi-Fiにおける局（STA）または無線送信／受信ユニット（WTRU）、または任意の他の適切な固定位置または移動無線装置の形式を取ることができる。本発明を視覚化する目的のために、端末を移動ハンドセット（そして、多くの例においては、端末の少なくとも幾つかは、移動ハンドセットを備えている）想像することは都合がよいが、これより、如何なる制限をも意味されない。
【００５０】
本発明の好適な実施の形態に係る装置は、上記の特徴の如何なる組合せをも備えることが可能である。本発明の実施の形態に係る方法は、それらが処理および記憶機能を必要とするという点において、コンピュータで実現されると記述可能である。
【００５１】
好適な実施の形態に係る装置は、ある機能を行うように構成または配置されていると記述される。この構成または配置は、ハードウェア、またはミドルウェア、または任意の他の適切なシステムの使用により可能である。好適な実施の形態においては、構成または配置はソフトウェアによる。
【００５２】
更なる態様によれば、プログラムが提供され、プログラムは端末にロードされると、端末を、先行する方法の定義の何れかまたはそれらの任意の組み合わせによる方法のステップを行わせるように構成する。
【００５３】
一般的には、記述したハードウェアは、定義された機能を提供するように構成または配置されているとして列挙した要素を備えることができる。例えば、このハードウェアは、受信器、送信器（または、組み合わされたトランシーバ）、プロセッサ、記憶／格納媒体、ユーザインタフェース、および端末において一般的に見られる他のハードウェア構成要素を含むことができる。
【００５４】
本発明は、デジタル電子回路、またはコンピュータハードウェア、ファームウェア、ソフトウェア、またはそれらの組み合わせにおいて実現可能である。本発明は、コンピュータプログラムまたはコンピュータプログラム製品として、つまり、一つ以上のハードウェアモジュールの動作による実行、または一つ以上のハードウェアモジュールの動作を制御するための、例えば、マシン読み取り可能格納装置、または伝搬された信号のような情報担体において実体的に具現化されるコンピュータプログラムとして実現可能である。コンピュータプログラムは、スタンドアロンプログラム、コンピュータプログラムの一部、または二つ以上のコンピュータプログラムの形式であることが可能であり、コンパイルまたはインタプリトされた言語を含むプログラミング言語の何れの形式においても記述可能であり、スタンドアロンプログラム、またはモジュール、コンポーネント、サブルーティン、またはデータ処理環境における使用に適している他の任意のユニットを含む何れの形式においても導入可能である。コンピュータプログラムは、一つのサイトにおいて、一つのモジュールまたは複数のモジュール上での実行のために導入可能であり、または、伝達手段上の複数のサイトにわたって、またはバックエンドシステムにおいて分散可能であり、通信ネットワークにより相互接続可能である。
【００５５】
本発明の方法ステップは、一つ以上のプログラマブルプロセッサが、入力データを操作して出力データを生成することにより、本発明の機能を行うコンピュータプログラムを実行することにより行うことが可能である。
【００５６】
本発明は、特別な実施の形態の観点から記述される。他の実施の形態は、下記の請求項の範囲内である。例えば、本発明のステップは、異なる順序で行うことが可能であり、それでも依然として所望の結果を達成可能である。
【図面の簡単な説明】
【００５７】
例としてのみの手段として、付随する図面を参照する。
【図１】LTEにおける基本システムアーキテクチャの例示図である。
【図２】スモールセルネットワーク（Small  Cell  Network:SCN）の例示図である。
【図３】ＬＴＥにおける種々のチャネルを示す図である。
【図４】複数のセルからサービスを受けている端末の例示図である。
【図５】一般的な実施の形態のフローチャートである。
【図６】本発明を適用できる端末またはUEの模式図である。
【図７】本発明を適用できる基地局またはeNBの模式図である。
【発明を実施するための形態】
【００５８】
図４は、一つの関心のあるシナリオを例示しており、UE１０は、セル、つまり、現在のサービングセルとしてのセル（Cell）Ａを提供するeNB２０からサービスを受け、UE１０はまた、別のeNB２１により提供される少なくとも一つの別のセル、つまりセル（Cell）Ｂ（「候補セル」）の範囲内でもある。
【００５９】
本発明は、幾つかの関心のあるシナリオにおいては、UE１０は、ネットワークにおける個々のeNB２０または２１以外の、ハンドオーバーに対して潜在的に適切なセルの存在および特性についての、より良好な理解を有することが可能であるという認識に基づいている。このような動作をサポートするために、UEがハンドオーバーに対する候補であるセルに対する賛否両論を評価することを支援する追加的な情報をUEに提供可能であると恩恵がある。これは、測定報告の誘発、eNBへのより有益な報告の提供、および結果として信号通知のハンドオーバーが価値のあるものであるという保証のもととなる改良された計量という結果になることが可能である。
【００６０】
複数の候補セルのそれぞれに対して、UEに提供され、またはUEにより取得されるそのような情報は、
＊  例えば、帯域（Bandwidth）、キャリア数（Number of Carriers）、タイムスロット（Time slot）に関しての、利用可能な通信リソース（DL及びULにおいて）
＊  利用可能な送信電力（DLにおいて）
＊  無線リンク品質（DL及びULにおいて）
＊  経路損失（ULにおいて）
＊  セルからの利用可能なデータレート（DL及びULにおいて）
を含むことが可能である。
【００６１】
上記のファクタの幾つかは、セルに関してのUEの位置によって決まる。他のファクタは、そのセルに対して利用可能なトラフィックローディングまたは処理リソースによって決まる。例えば、セルにトラフィックをロードすると、追加的UEに対して利用可能なリソースの割合は、100％より相当に低くなる。そのような場合においては、キャリア帯域（LTEにおけるシステム帯域）に基づく利用可能なビットレートの計算は、大きすぎるビットレートという結果になる。従って、そのような情報を動的に、例えば、UEへの適切な信号通知により更新可能であるということは望ましい。
【００６２】
改良されたUEの知見に基づくハンドオーバーをサポートするために、追加的な計量が、個々のセルに関する測定報告に含まれるべきであり、また、測定報告を誘発するためにも使用されるべきである。これらの計量は、
＊  利用可能なデータレート（DLまたはULにおいて）
＊  データ送信に対する待ち時間（DLまたはULにおいて）
＊  所与のデータレート（例えば、利用可能なデータレート）を達成するための電力消費（DLまたはULにおいて）
を含むことが可能である。
【００６３】
ここで、電力消費はUEの電力消費であり、UEが、候補セルに関して得られた情報およびUEが利用可能な他の情報に基づいて計算する電力消費である。
【００６４】
図５はUEの観点からの、本発明の動作の例に対するフローチャートであり、セルＡはサービングセルであり、セルＢは候補セル（または、複数の候補セルの一つ）であり、ハンドオーバーの決定を基地局（eNB）が行うシステムを仮定している。
【００６５】
ステップＳ１０においてUEは、セルＡとセルＢのそれぞれから、これらのセルにおける利用可能なリソースの表示を受信する。
【００６６】
ステップＳ１２においてUEは、セルＡとセルＢのそれぞれに対して、少なくとも一つの性能計量Ｐ（下記により詳細に記述される）を計算して、値ＰAとＰBをそれぞれ生成する。
【００６７】
Ｓ１４においてUEは、性能計量の算出された値ＰBが、現在のサービングセルに対する値ＰAを閾値より多く超えているかどうかを判定する。超えていないときは（Ｓ１４、ＮＯ）、フローは出発点に戻る（必要であれば、異なる候補セルＢに関してプロセスの繰り返しを可能にする）。しかし、Ｓ１４における基準が満たされると（Ｓ１４、ＹＥＳ）、フローはＳ１６に進み、そこにおいてUEは、計量ＰA、ＰBの値をセルＡのサービングeNBに報告する。これは、サービングeNBが、UEをセルＢにハンドオーバーするハンドオーバーの決定を行うことを支援する。
【００６８】
ちなみに、Ｓ１６においては、性能計量値ＰA、ＰBがeNBに明示的に送られることは必要不可欠ではないということに留意すべきである。第１代替においてUEは、性能計量自体ではなく、セルＢに対する性能計量値ＰBが、セルＡに対する性能計量値ＰAを閾値だけ（およびオプションとして、どのくらい）超えているという事実を報告する。
【００６９】
第２代替においてUEは、性能計量の代わりに（または性能計量に追加して）、導入部において記述した何れかの種類の従来の測定報告をeNBに送る。違いは、本発明に従えばUEは、ステップＳ１４にける基準を満たす候補セルに関してのみ報告を送るということである。
【００７０】
Ｓ１６における報告は、二つのセル、つまりセルＡと一つの候補セルＢの特定の組み合わせに関する報告であってよい。しかし、代替的に、UEはセルのすべての対（つまり、セルＡと、すべての利用可能なセルＢの組み合わせ）に対して性能計量の計算を完了することができ、セルの複数のそのような組合せをカバーする、一つの統合された報告を送ることができる。そのような統合された報告を、セルＢがセルＡを閾値だけ超えているセル対に限定することができる。
【００７１】
図５のプロセスをWi-Fi  APに適合するために、端末のユーザは受信した信号に基づいてＡＰを選択可能であり、典型的には、端末は信号強度の大きい順のSSIDのリストをユーザに提示する。しかし、本発明の上記の原理を適用することにより、リストを代わりに、推定データレートのような計算された性能計量の順序で提示することができる。代替的に、端末を、最も高い性能計量値のＡＰに自動的に接続するように構成できる。
【００７２】
LTE/UMTSとWi-Fiネットワークの組み合わせの場合、図５の目的のために、APをセルのように扱うことが可能である。
【００７３】
本発明の幾つかのより具体的な実施の形態をここで記述する。全体を通して、特に示されない限り、下記に記述される実施の形態は少なくとも一つのLTEに基づくRAN（LTEまたは他のRATに基づく他のRANと協働する可能性がある）の存在を仮定しており、ネットワークは複数のeNodeBを備えており、eNodeBのそれぞれは一つ以上のダウンリンクセルを制御し、ダウンリンクセルの少なくとも幾つかは、対応するアップリンクセルを有している。各ＤＬセルは一つ以上の端末（UE）にサービスを提供することができ、UEは、そのサービングセルにおいて送信される信号を受信して復号化できる。UEが一つのサービングセルのカバレッジエリアを離れて、別のカバレッジエリアに入るときは、ネットワークによりハンドオーバープロセスを開始することができる。しかし、ハンドオーバーの目標は、LTEに基づくRANのセルに限定する必要はない。このため、「セル」という用語は、適切であれば、Wi-Fi APの通信範囲を含んでいる。
【００７４】
第１実施の形態においては、一つ以上のセルが、そのセルにおける利用可能なリソースの表示をブロードキャストする。LTEまたはUMTSの場合、この表示はシステム情報（ＳＢ）において送信できる。すでに記述したように、UEがセルからのＳＩＢを読むためには、そのセルと同期していなければならないが、セルに同期しているということが、そのセルをUEに対するサービングセルにするとは必ずしも限らない。
【００７５】
同様に、Wi-Fiにおいては、APは局にシステムパラメータを通知するためにビーコンフレームをブロードキャストし、ビーコンフレームにおいて現在使用されていないフィールドは、上記の表示をブロードキャストするために採用可能である。
【００７６】
表示は下記の一つ以上を備えることができる。
＊  通信に利用可能な帯域（例えば、システム帯域の一部分）
＊  通信に利用可能なキャリアの数
＊  通信に利用可能なタイムスロット（例えば、フレーム構造におけるタイムスロットの一部分）
＊  利用可能なデータレート
＊  利用可能な待ち時間（例えば、パケットを送信／受信するために必要な時間遅延）
＊  送信電力
＊  アンテナの数（または空間層の数）
【００７７】
「利用可能なデータレート」とは、セルを介して利用可能なスループットのことである。Wi-Fiの場合、推定スループットパラメータが、IEEE 802.11-14/0792r7における802.11 SME（Station Management Entity（局管理エンティティ））インタフェースにおいて最近定義され、これはここにおいて参考文献として組み込まれる。これにより、APの指定されたセットに端末が関連付けられている場合に、端末が達成することを予期可能なスループットの推定値を、SMEが要求および受信することを可能にする。
【００７８】
表示はまた、サービングセルと隣接セルとの間の値における差がそれほど大きくなければ、上記の情報の幾つかの項目を含む必要はない。例えば、二つのセルは同じキャリア周波数を有することができ、それにより、一つのセルに対してブロードキャストされた値は、両者のセルに適用するためにUEにより仮定可能である。
【００７９】
代替的に、計量を明示的に示さないことにより、セル間にその計量における大きな差はないとUEは仮定できる（つまり、UEは、その計量に関しては性能の差はないと仮定できる）。
【００８０】
すべてのセルが同じeNBにより制御されることが必要であるわけではないということは分かるであろう。二つ以上のeNBが含まれているときは、UEは情報がブロードキャストされないケースに対してデフォルトの仮定を行うことが可能であり、そしてeNBは、デフォルト値が適用されない情報に対する項目をブロードキャストするだけである。デフォルト値は、ネットワークにより構成可能である。
【００８１】
別個の表示をULとDLに対して提供できる。より一般的には、DLとULは、本発明の目的のために別個に取り扱うことができ、それにより、図５のプロセスは、例えば、ULのみに関して行い、所望されるのであれば、DLに対して繰り返すことが可能である。
【００８２】
UEは検出された各セルに対して、一つ以上の性能計量（例えば、ULとDLに対する別個の計量の可能性を有して、セルがサポート可能な予期されるデータレートに関する性能計量）を計算する。これらの計算は、UEの能力（例えば、サポートされているピークビットレート、アンテナの数、サポートされている空間層の数、サポートされているキャリアの数）によって決まる。
【００８３】
計算はまた、セルにおけるトラフィックローディング状況のような、UEにより感知／測定される利用可能なリソースによっても決まる。UEは、セルの無線リソースのどのくらいが現在使用されているかを、eNBからの送信を観察して、例えば、信号によりサブフレーム／サブキャリアのどのくらいが占有されているかを見出すことにより推定可能である。例として、利用可能な時間／周波数リソース全体に対する割合を決定するために、帯域のどのくらいが利用可能であるかをセルによりUEに通知可能であるが、UE自身によりサブフレームのどのくらいが利用可能であるかを推定すると予期可能である（またはその逆）。
【００８４】
UEは、一つのセル当たりの計量の利用可能な値に基づく規則を適用して、ある条件が満たされているかどうかを決定する。これらの規則は典型的には、現在のサービングセルと置換可能なより良好なセルがあるかどうか（つまり、ハンドオーバーを行うことが恩恵があるかどうか、そして恩恵がある場合、どのセルにハンドオーバーするか）を確かめるために設計されている。関連する条件が満たされると測定報告が誘発され、UEは計量値を、検出されたセルの少なくとも幾つかに報告する。
【００８５】
第１実施の形態の変形例においては、ULとDLに対して、報告の独立した誘発が可能である。独立した誘発条件のそれぞれは、動的に「アクティブ」または「非アクティブ」であるように構成できる。ここで、誘発条件は、例えば上記の関連する条件の何れも含むことが可能である。
【００８６】
従って、ハンドオーバーの目的に対して、DLとULとの間での区別を付けることができる。LTEにおいては現在、UEは、DLに関するサービングセルを有し、ULに対するサービングセルも有している（UEが、そのセルに対してULを使用する能力を有していなくても）。しかし、同じUEに対して二つ以上のサービングセルがあり得るので、ここで言及される「ハンドオーバー」は、現在のサービングセルとの接続を終了することを含む必要がなく、UEトラフィックの幾つかのオフローディング（負担を軽減すること）のための部分的ハンドオーバーを含むことが可能である。このため、ハンドオーバーはULとDLに対して独立であることができる（つまり、サービングセルはULとDLにおいて異なっていてよい）。一つの例として、ハンドオーバーは、ビデオストリーミングサービスのようなものにより要求される、UEの増大したDLデータ要請を満たすため、DLのみに対するサービングセルを追加することを含むことができる。
【００８７】
第１実施の形態の更なる変形例においては、セルは、異なるオペレータ（同じＲＡＴを使用している、いないに拘わらず異なるRAN）により提供される。ハンドオーバーの決定は、依然としてサービングセルeNBにおいて行うことができるが、より高いレベル、可能性としてはRAN間ノードからの入力を含むことができる（または、ハンドオーバーの決定は、より高いレベル、可能性としてはRAN間ノードにより行うことができる）。
【００８８】
第２実施の形態は、UEにより計算される計量が、UEがULおよび／またはDLにおいて通信を達成するために必要なエネルギ／電力に基づくということ以外は、第１実施の形態と類似している。
【００８９】
これは、第１実施の形態において採用された予期されるデータレート計量と置換可能である。ULに対する例として、セルのすべての潜在的なリソースが利用可能であると仮定して、UEは一つ以上のアップリンクのそれぞれにおいて所与のデータレートで送信するために必要な電力を推定できる。
【００９０】
第２実施の形態の変形例において計量は、ULおよび／またはDLにおける通信を提供するためにネットワークが必要とするエネルギ／電力に基づいている。実際にこれは、ネットワークにおける何れかの場所での電力消費は、任意のセルに対して類似していると仮定可能であるため、関連するセルを制御しているeNBまたはAPにより消費される電力を意味している可能性がある。
【００９１】
第３実施の形態は、UEにより計算される計量が、DLまたはULにおいてUEにより要求されるデータ送信に対する待ち時間に基づくということ以外は、第１実施の形態に類似している。UE上で作動しているサービスのタイプにより、待ち時間は、ハンドオーバーの決定に影響を与える、要求されているサービス品質（Quality of Service）を満たすために十分であってもなくてもよい。例として、幾つかのeNBは、より性能の低い中継回線を有することができ、または中継回線は一時的に輻輳してよく、低待ち時間通信をサポート可能でなくてよい。最も簡単な形式においては、セルは、現在可能な最も短い待ち時間についての情報を提供できる。代替的に、セルは、最も低い利用可能な待ち時間でサポート可能な利用可能なデータレートを示すことができる。
【００９２】
上記の実施の形態は組み合わせることができる。例えばUEは、第１実施の形態の予期されるデータレート計量と、第２実施の形態のエネルギ／電力計量の両者を採用できる。このため、ULに対する例として、UEは、セルにおけるリソースの、第１実施の形態に従って決定されるある割合がUEに利用可能であると仮定して、一つ以上のアップリンクのそれぞれにおいて所与のデータレートで送信するために必要な電力を推定可能である。
【００９３】
本発明の範囲内において、種々の修正が可能である。
【００９４】
都合がいいように、本発明を特定のセルに関して記述してきた。しかし、本発明は、セルを必要としなくても適用可能であり、異なる局(セルをサポートする基地局、移動局（例えば、D2D）、および中継器のような他のタイプの局を含む）の間の通信という観点から、および基地局の遠隔無線ヘッド（Remote Radio Head）を介する通信に対して記述できる。
【００９５】
本発明は、LTE FDDとTDD、および混合TDD/FDD実現形態に等しく適用可能である（つまり、同じFDD/TDDタイプのセルに制限されない）。本原理は、IEEE 802.11（Wi-Fi）のようなWLAN技術と共に、UMTSのような他の無線セルラー通信システムにも適用可能である。従って、請求項における「セカンダリ局」への言及は、ユーザ装置、加入者局、移動端末などの如何なる種類をもカバーすることが意図され、LTEのUEに制限されない。
【００９６】
上記の本発明の態様または実施の形態の何れにおいても、種々の特徴は、ハードウェアにおいて、または一つ以上のプロセッサ上で作動するソフトウェアモジュールとして実現できる。一つの態様の特徴は、他の態様の何れにも適用できる。
【００９７】
本発明はまた、ここにおいて記述された方法の何れも実行するためのコンピュータプログラムまたはコンピュータプログラム製品、および、ここにおいて記述された方法の何れも実行するためのプログラムを格納したコンピュータ読み取り可能媒体も提供する。
【００９８】
本発明を具現化するコンピュータプログラムは、コンピュータ読み取り可能媒体上に格納でき、または、コンピュータプログラムは、インターネットウェブサイトから提供されるダウンロード可能なデータ信号のような信号の形式であってもよく、または他の如何なる形式であってもよい。
【００９９】
請求項の範囲から逸脱することなく、ここで記述された特別な実施の形態に対して種々の変更および／または修正を行うことができるということは明確に理解されたい。
【産業上の利用可能性】
【０１００】
端末にサービスを提供しているBS/APが、すべての潜在的なサービングセルの状態または能力を完全には知っていないという、将来の複雑な無線環境においては、BS/APにそのような情報を提供することは利点がある。特に、BS/APが、ハンドオーバーに適している各セルにおける利用可能なリソースの量を知ることが可能であれば、BS/APはより良好なハンドオーバーの選択を行うことが可能である。これは、ネットワーク動作の効率と、ユーザ体感品質を改良するであろう。従って、端末が改良された計量に基づいて、改良された測定報告を提供すること、従って、端末が測定報告をいつ提出するかを判定することを支援可能な情報を端末に提供可能であるということは利点がある。代替的に、ハンドオーバーの決定を端末で行う場合は、端末がすべての潜在的なサービングセルの状態または能力を、セルにより端末に通知された情報を、端末が他の手段で得た情報と組み合わせることにより導出可能であることは利点がある。
【図１】
2017038358.tif 000003
【図２】
2017038358.tif 000004
【図３】
2017038358.tif 000005
【図４】
2017038358.tif 000006
【図５】
2017038358.tif 000007
【図６】
2017038358.tif 000008
【図７】
2017038358.tif 000009